(57)【特許請求の範囲】
【請求項１】
調理機器の上方に設置され、下面に吸込口を設けたフード部と、前記フード部の上方に吹出口を設けた本体と、前記本体の内部に調理時に発生する水蒸気や油煙を室外に排出する送風機とを設けたものであって、前記フード部の下面の前方に前記フード部に内蔵されるＬＥＤ照明と前記ＬＥＤ照明の光の透過部である前記ＬＥＤ照明側に凸形状の曲面で構成された照明レンズを配置し、前記照明レンズの取付面が前方から奥に向かって上方に傾斜することを特徴とするレンジフード。
【請求項２】
ＬＥＤ照明と照明レンズとの距離を一定距離離すことを特徴とする請求項１に記載のレンジフード。
【請求項３】
照明レンズの取付面と正面レンズの表面の接続面とが平滑に設置することを特徴とする請求項１に記載のレンジフード。
【発明の詳細な説明】
【技術分野】
【０００１】
本発明は、調理機器の上方に設置され、調理時に発生する油煙を捕集して屋外に排気するレンジフードに関するものである。
【背景技術】
【０００２】
従来、この種のレンジフードは、フードとフードに設置されているＬＥＤ照明とが平滑に設置されているレンジフードが知られている（例えば、特許文献１参照）。
【０００３】
以下、そのレンジフードについて図３を参照しながら説明する。
【０００４】
図３に示すように、調理器（図示せず）上方に設置され、下面に吸込口を設けたフード部１０１と、フード部１０１の上方に吹出口を設けた本体１０２と、本体１０２の内部に調理時に発生する水蒸気や油煙を室外に排出する送風機１０３とを設けたものであって、フード部１０１の下面の前方にフード部１０１に内蔵されるＬＥＤ照明１０４と、ＬＥＤ照明１０４の光の透過部であるＬＥＤ照明レンズ１０５が備えられており、フード部１０１とＬＥＤ照明レンズ１０５との表面が平滑に設置されている。
【先行技術文献】
【特許文献】
【０００５】
【特許文献１】特開２００７−７８２２３号公報
【発明の概要】
【発明が解決しようとする課題】
【０００６】
このような従来のレンジフードにおいては、本体の下面とそこに設置されているＬＥＤ照明とが平滑に設置されているため、直進性があるＬＥＤ照明は調理スペースの奥まで照らすことができず、また調理者が直接ＬＥＤ照明を覗き込むことができる場所にあるためまぶしい、という課題を有していた。
【０００７】
そこで本発明は、上記従来の課題を解決するものであり、調理スペースの奥まで照らすことができ、ＬＥＤ照明が直接調理者の視界に入ることを防ぐレンジフードを提供することを目的とする。
【課題を解決するための手段】
【０００８】
そして、この目的を達成するために、本発明は、調理機器の上方に設置され、下面に吸込口を設けたフード部と、前記フード部の上方に吹出口を設けた本体と、前記本体の内部に調理時に発生する水蒸気や油煙を室外に排出する送風機とを設けたものであって、前記フード部の下面の前方にフード部に内蔵されるＬＥＤ照明とＬＥＤ照明の光の透過部であるＬＥＤ照明レンズが配置され、前記フード部と前記ＬＥＤ照明レンズの取付面が前方から奥に向かって上方に傾斜し、前記フード部と前記照明レンズとの接続面が平滑になるように設置することとしたものであり、これにより所期の目的を達成するものである。
【発明の効果】
【０００９】
本発明によれば、調理機器の上方に設置され、下面に吸込口を設けたフード部と、前記フード部の上方の中央に吹出口を設けた本体と、前記本体の内部に調理時に発生する水蒸気や油煙を室外に排出する送風機とを設けたものであって、前記フード部の下面の前方にフード部に内蔵されるＬＥＤ照明とＬＥＤ照明の光の透過部であるＬＥＤ照明レンズが配置され、前記照明レンズの取付面が前方から奥に向かって上方に傾斜し、前記フードとＬＥＤ照明レンズの接続面が平滑になるように設置する、という構成にしたことにより、直進性があるＬＥＤ照明の光が奥に向かって照射することとなるので、調理スペースの奥まで照らすことができ、またＬＥＤ照明が直接調理者の視界に入ることを防ぐ、という効果を得ることができる。
【図面の簡単な説明】
【００１０】
【図１】本発明の実施の形態１のレンジフードを示す側面構成図
【図２】同レンジフードのＬＥＤ照明付近を示す詳細構成図
【図３】従来のレンジフードを示す下方からの斜視図
【発明を実施するための形態】
【００１１】
本発明のレンジフードは、調理機器の上方に設置され、下面に吸込口を設けたフード部と、前記フード部の上方の中央に吹出口を設けた本体と、前記本体の内部に調理時に発生する水蒸気や油煙を室外に排出する送風機とを設けたものであって、前記フード部の下面の前方にフード部に内蔵されるＬＥＤ照明とＬＥＤ照明の光の透過部であるＬＥＤ照明レンズを設け、前記照明レンズの取付面が前方から奥に向かって傾斜し、前記フード部と前記照明レンズの取付面とＬＥＤ照明の接続面とが平滑に設置する、という構成を有する。これにより、直進性があるＬＥＤ照明の光が奥に向かって照射することとなるので、調理スペースの奥まで照らすことができ、またＬＥＤ照明が直接調理者の視界に入ることを防ぐ、という効果を奏する。
【００１２】
また、ＬＥＤ照明とＬＥＤ照明レンズの距離を一定距離離す、という構成にしてもよい。これにより、ＬＥＤ照明から放たれるある一定の角度をもった光が一定距離離れた照明レンズに入射することとなり、ＬＥＤ照明の光がより拡散するので、調理スペースの全体を均一に照らすことができる、という効果を奏する。
【００１３】
以下、本発明の実施の形態について図面を参照しながら説明する。
【００１４】
（実施の形態１）
図１に示すように、ガスコンロやＩＨコンロなどの調理器（図示せず）の上方すなわち真上に設置され、下面に方形状の整流板１２を設け、その周囲に吸込口１３を設けた方形状のフード部１と、フード部１の上方にアダプター１４を介して空気が吐出される吹出口１５を設けた本体２と、本体２の内部に調理時に発生する水蒸気や油煙を室外に排出するＡＣモータ（図示せず）とシロッコファン１６とで構成された送風機３とを設け、フード部１の下面の前方すなわち調理者側のフード部１に内蔵される長方形の基板７に直進性がある光を発するＬＥＤチップ８を複数個（例えばコストや照度のバランスから６個）配置したＬＥＤ照明４と、ＬＥＤチップ８から放たれる光の透過部でＬＥＤ照明４側に凸形状の曲面で構成された透明性の樹脂の照明レンズ５とを設け、照明レンズ５を取り付けるフード部１の照明レンズ取付面６が前方すなわち調理者側から壁側である奥に向かって上方に傾斜（例えば１５°）し、フード部１の照明レンズ取付面６と照明レンズ５との調理器側である下方の照明レンズ５との表面９が平滑に設置される構成とする。
【００１５】
これにより、調理者からフード部１に遮られて照明レンズ５が見えづらくなって、ＬＥＤチップ８から放たれる光が奥に向かって照射することとなるので、調理スペースの奥まで照らすことができ、またＬＥＤチップ８から放たれる光が直接調理者の視界に入ることを防ぐことができる。
【００１６】
また、図２のように、ＬＥＤ照明４を固定するＬＥＤ照明設置台１０を設け、ＬＥＤ照明設置台１０にＬＥＤ照明４を固定することにより、ＬＥＤチップ８と照明レンズ５との距離を一定距離離してＬＥＤ照明４のＬＥＤチップ８より放たれる光が照明レンズ５に照射する前に一定の照射角度１１となるため、ＬＥＤチップ８より放たれた光がより拡散した後に照明レンズ５に入射することとなり、調理スペースの全体を均一に照らすことができる、という効果を奏する。
【産業上の利用可能性】
【００１７】
本発明にかかるレンジフードは、調理スペースの奥まで照らすことができ、またＬＥＤ照明が直接調理者の視界に入ることを防ぐことを可能とするものであるので、ＬＥＤ照明を有する厨房用の換気装置として有用である。
【符号の説明】
【００１８】
１    フード部
２    本体
３    送風機
４    ＬＥＤ照明
５    照明レンズ
６    照明レンズ取付面
７    基板
８    ＬＥＤチップ
９    表面
１０  ＬＥＤ照明設置台
１１  照射角度
１２  整流板
１３  吸込口
１４  アダプター
１５  吹出口
１６  シロッコファン
【図１】
0005994110.tif 000002
【図２】
0005994110.tif 000003
【図３】
0005994110.tif 000004